(57)【要約】【課題】ユーザに煩雑な操作を一切強いることなく、操作を行なうユーザの位置している方向を簡単且つ確実に判断する。【解決手段】一つの映像を表示する同一映像表示、及び左右の視線方向に応じて２つの映像を同時に表示する２映像同時表示が可能な表示部11と、表示部11に一体に形成され、タッチ操作位置に応じた座標信号を生成するタッチパネル12と、タッチ操作が左右どちらの方向からなされたかその操作到来方向を検出する左側センサ16、右側センサ17及びセンサ制御部18と、表示部11での２映像同時表示時にタッチパネル12の操作があった場合、センサ制御部18からの検出結果により２つの映像のどちらに対してタッチ操作がなされたのかを判断し、その判断結果とタッチ入力された座標信号とにより表示部11で表示する２つの映像の一方を制御する制御部15とを備える。【選択図】      図１
2007172373.tif 000002
【特許請求の範囲】
【請求項１】
一つの映像を表示する同一映像表示、及び左右の視線方向に応じて２つの映像を同時に表示する２映像同時表示が可能な表示手段と、
この表示手段に一体に形成され、タッチ操作された位置に応じた座標信号を生成するタッチ入力手段と、
前記タッチ入力手段でなされるタッチ操作が左右いずれの方向からのものであるのかその操作到来方向を検出する検出手段と、
前記表示手段での２映像同時表示時に前記タッチ入力手段による入力があった場合、前記検出手段の検出結果により前記表示手段で表示する２つの映像のどちらに対してタッチ操作がなされたものであるかを判断する判断手段と、
この判断手段での判断結果により前記表示手段で表示する２つの映像の一方を制御する制御手段と
を具備したことを特徴とする表示入力装置。
【請求項２】
前記制御手段は、前記判断手段での判断結果に加え、前記タッチ入力手段で生成された座標信号により前記表示手段で表示する２つの映像の一方を制御することを特徴とする請求項１記載の表示入力装置。
【請求項３】
前記判断手段は、前記タッチ入力手段による入力がなされた時点で前記検出手段からの検出結果を取得し、２つの映像のどちらに対してタッチ入力がなされたものであるかを判断することを特徴とする請求項１記載の表示入力装置。
【請求項４】
前記判断手段は、前記検出手段の検出結果により操作到来方向を取得した上で、且つ前記タッチ入力手段でタッチ操作による座標信号が得られると、２つの映像のどちらに対してタッチ入力がなされたものであるかを判断することを特徴とする請求項１記載の表示入力装置。
【発明の詳細な説明】
【技術分野】
【０００１】
本発明は、特にカーナビゲーション装置のディスプレイ部に好適な表示入力装置に関する。
【背景技術】
【０００２】
近時、一つの液晶表示画面に２つの映像を同時に表示しながら、左右からの見る角度に応じて２つの映像を区分して視線可能な、デュアルビューと称される技術が実用化され、カーナビゲーション装置等で製品化されている。
【０００３】
この種のデュアルビュー表示において、表示画面へのタッチ操作がいずれの映像に対して有効であるかの判断を容易且つ確実に行なうべく、画面上の２つの所定領域のどちらがタッチされたかに応じて、以後のタッチ操作をどちら側からのものであるとみなすのかを切り替えるようにしたものが考えられている。（例えば、特許文献１）
【特許文献１】特開２００５−０７１２８６号公報
【発明の開示】
【発明が解決しようとする課題】
【０００４】
しかしながら、前記特許文献に係る技術では、本来実行しようとするタッチ操作に先立って所定領域へのタッチ操作が必要となる。そのため、特にその表示画面前の左右に位置しているユーザが交互にタッチ操作を行なうような場合には、その都度次の操作を行なうユーザが自己側の所定領域を一度タッチ操作してから、本来のタッチ操作を行なわなければならないなど、著しく操作体系が煩雑なものとなる。
【０００５】
本発明は前記のような実情に鑑みてなされたもので、その目的とするところは、左右の視線方向に応じて２つの映像を同時に表示する２映像同時表示が可能な表示部を備えた表示入力装置で、ユーザに煩雑な操作を一切強いることなく、操作を行なうユーザの位置している方向を簡単且つ確実に判断することが可能な表示入力装置を提供することにある。
【課題を解決するための手段】
【０００６】
請求項１記載の発明は、一つの映像を表示する同一映像表示、及び左右の視線方向に応じて２つの映像を同時に表示する２映像同時表示が可能な表示手段と、この表示手段に一体に形成され、タッチ操作された位置に応じた座標信号を生成するタッチ入力手段と、前記タッチ入力手段でなされるタッチ操作が左右いずれの方向からのものであるのかその操作到来方向を検出する検出手段と、前記表示手段での２映像同時表示時に前記タッチ入力手段による入力があった場合、前記検出手段の検出結果により前記表示手段で表示する２つの映像のどちらに対してタッチ操作がなされたものであるかを判断する判断手段と、この判断手段での判断結果により前記表示手段で表示する２つの映像の一方を制御する制御手段とを具備したことを特徴とする。
【発明の効果】
【０００７】
請求項１記載の発明によれば、例えば赤外線センサや超音波センサ等の比較的安価なセンサを検出手段として表示部の左右に配し、その検出結果により左右のいずれからタッチ操作がなされているのかにより、タッチ操作がどちらの映像に対してなされたものであるかを判断してその後の動作に反映させるものとしたので、ユーザに煩雑な操作を一切強いることなく、操作を行なうユーザの位置している方向を簡単且つ確実に判断することが可能となる。
【発明を実施するための最良の形態】
【０００８】
本発明を乗用車用のカーナビゲーション装置に適用した場合の実施の一形態について以下に図面を参照して説明する。
【０００９】
図１は、本実施の形態に係るカーナビゲーション装置１０の回路構成を示すものである。なおこの図１は、説明のために機能的な回路の概略構成をブロック化して示すものであり、実際のＩＣ、ＬＳＩ等のチップ構成を示すものではない。
【００１０】
同図で、１１はバックライトを有するカラー液晶パネルとその駆動回路とでなる表示部である。この表示部１１に対し、透明板状のタッチパネル１２が一体にして構成される。
【００１１】
表示部１１は、表示制御部１３から与えられる表示データに従い、視線方向に関係なく一つの映像を表示する同一映像表示、または画面の左右の視線方向に応じて２つの映像を同時に表示する２映像同時表示のいずれか一方を行なう、所謂デュアルビューに対応した視差による表示画素構造を有するものとする。
【００１２】
また、この表示部１１に一体にして構成されるタッチパネル１２は、ユーザの手指によるタッチ操作に対応した信号を出力するもので、このタッチパネル１２の出力をタッチ入力制御部１４が２次元座標データ化して制御部１５へ出力する。
【００１３】
さらに、前記表示部１１及びタッチパネル１２の画面左右には、例えば赤外線センサによる左側センサ１６及び右側センサ１７を配置し、タッチパネル１２に対してその左側及び右側からユーザの手指が近接してタッチ操作する際にその存在を検知することが可能とする。
【００１４】
これら左側センサ１６、左側センサ１６の検知出力は、センサ制御部１８に入力される。センサ制御部１８は、これら左側センサ１６、右側センサ１７の出力を所定のしきい値に２値化し、左側及び右側でのユーザの近接をそれぞれ「有」「無」いずれかを示す検出結果としてその検出信号を前記制御部１５へ出力する。
【００１５】
この制御部１５は、制御演算を行なうＣＰＵ、このＣＰＵの動作プログラムやパラメータ等を固定的に記憶する不揮発性メモリ、及び各種プログラムを実行する上でそのワークエリアとなるメインメモリ等から構成され、このカーナビゲーション装置１０全体の動作制御を司る。
【００１６】
しかるに、この制御部１５には、前記タッチ入力制御部１４、制御部１５、及びセンサ制御部１８の他に、ＧＰＳレシーバ１９、ハードディスク装置（ＨＤＤ）２０、マルチディスクドライブ２１、テレビチューナ２２、キー入力部２３、及び音声処理部２４等とも接続される。
【００１７】
ＧＰＳレシーバ１９は、ＧＰＳアンテナ２５で受信した、複数のＧＰＳ衛生からの到来電波により正確な現在位置の緯度、経度、及び高度と現在時刻とを算出し、算出結果を制御部１５へ出力する。
【００１８】
ハードディスク装置２０は、位置情報に対応した地図データを複数の縮尺に合わせて記憶する他、ユーザの設定により後述するマルチディスクドライブ２１で作成された音楽データ等も合わせて記憶し、制御部１５の制御の基にそれらの記憶内容を読出して出力する。
【００１９】
マルチディスクドライブ２１は、例えばＤＶＤ（Ｄｉｇｉｔａｌ  Ｖｅｒｓａｔｉｌｅ  Ｄｉｓｃ）−Ｖｉｄｅｏ、ＤＶＤ−ＲＯＭ、ＤＶＤ±Ｒ、音楽ＣＤ（Ｃｏｍｐａｃｔ  Ｄｉｓｃ）、ＣＤ−ＲＯＭ、ＣＤ−Ｒ等の各種ディスクを再生することが可能であるものとし、その再生データを制御部１５へ出力する。
【００２０】
テレビチューナ２２は、テレビアンテナ２６で受信したテレビ放送電波からユーザの選択したチャンネルの周波数帯を選局し、そのチャンネルのテレビ放送番組を復調して制御部１５へ出力する。
【００２１】
キー入力部２３は、タッチパネル１２以外に設けられた、例えばボリュームの＋／−等の多用するキースイッチからなり、そのキー操作信号が制御部１５へ出力する。
【００２２】
音声処理部２４は、制御部１５から与えられるデジタル値の音声データをアナログ化してスピーカ２７を拡声駆動する一方で、マイクロホン２８から入力されたアナログの音声信号をデジタル化した上で制御部１５へ出力する。
【００２３】
なお、前記の他にも、ジャイロスコープと車速パルスにより相対的な自車の移動方向と距離とを算出する自律航法ユニットや、渋滞等のＶＩＣＳ(Ｖｅｈｉｃｌｅ  Ｉｍｆｏｒｍａｔｉｏｎ  ａｎｄ  Ｃｏｍｍｕｎｉｃａｔｉｏｎ  Ｓｙｓｔｅｍ)情報を得るためのＦＭチューナ、このカーナビゲーション装置１０用の図示しないリモートコントローラからの赤外線変調信号を受信する赤外線受光部などが制御部１５に接続されるが、ここではその図示及び説明を省略する。
【００２４】
前記制御部１５は、通常の動作時において、ＧＰＳレシーバ１９から得られる現在位置の情報を基にハードディスク装置２０から現在位置周辺の地図データを読出し、これを展開して表示データを作成した上で表示制御部１３へ送出し、表示部１１において運転席側、例えば右側で視認できる画像として表示させる。
【００２５】
一方で制御部１５は、その時点でユーザの選択によりテレビチューナ２２から得られるテレビ放送番組やマルチディスクドライブ２１で再生されるＤＶＤからの映像信号により表示データを作成した上で表示制御部１３へ送出し、表示部１１において助手席側、例えば左側で視認できる画像として表示させる。
【００２６】
なお、前記左側センサ１６及び右側センサ１７は、例えば赤外線センサにより構成されるものと説明したが、ユーザの手指等が表示部１１及びタッチパネル１２へ接近するのを検知するものであれば、例えばドップラー効果を利用した超音波センサ、ＣＣＤ（Ｃｈａｒｇｅ  Ｃｏｕｐｌｅｄ  Ｄｅｖｉｃｅ）やＣＭＯＳイメージセンサ、ＣＩＳ（Ｃｏｎｔａｃｔ  Ｉｍａｇｅ  Ｓｅｎｓｏｒ）などのイメージセンサを用いるものとしてもよい。
【００２７】
次に、前記実施の形態の動作について説明する。
【００２８】
図２は、前記表示部１１で画面の左右の視線方向に応じて２つの映像を同時に表示する２映像同時表示を行なっている状態で、制御部１５が内部に記憶される動作プログラムに基づいて実行する、タッチパネル１２へのタッチ操作に関する処理内容を第１の動作例として示すものである。
【００２９】
同図で、その当初には、ユーザによるタッチパネル１２でのタッチ操作があったか否かをタッチ入力制御部１４からの座標データ入力の有無により判断する（ステップＳ０１）、という処理を繰返し実行することで、タッチパネル１２へのタッチ操作があるのを待機する。
【００３０】
タッチパネル１２へのタッチ操作があった時点で前記ステップＳ０１によりこれを判断し、その時点で左側センサ１６または右側センサ１７からの検出結果をセンサ制御部１８により取得し（ステップＳ０２）、その内容によってまず右側センサ１７の検出結果が「有」となっているか否かにより、タッチ操作を行なった右側からユーザが手指を伸ばしてきたものであるか否かを判断する（ステップＳ０３）。
【００３１】
ここで右側からのタッチ操作であると判断した場合には、次いで表示部１１の右側に位置しているユーザ用に表示している映像の画面内容と、前記タッチ操作があった座標データとによって、タッチ操作によりユーザに指示された画面中のボタン等の内容を特定し、特定した内容に対応した制御動作を実行した上で（ステップＳ０４）、次のタッチ操作に備えるべく再び前記ステップＳ０１からの処理に戻る。
【００３２】
また、前記ステップＳ０３で右側からのタッチ操作ではないと判断した場合には、左側からタッチ操作であることとなるので、表示部１１の左側に位置しているユーザ用に表示している映像の画面内容と、前記タッチ操作があった座標データとによって、タッチ操作によりユーザに指示された画面中のボタン等の内容を特定し、特定した内容に対応した制御動作を実行した上で（ステップＳ０５）、次のタッチ操作に備えるべく再び前記ステップＳ０１からの処理に戻る。
【００３３】
このように、タッチパネル１２へのタッチ操作がなされたのは画面の左側からか、右側からかの判断をユーザによる何らかの予備動作を一切必要とせずに制御部１５が判断するものとしたので、ユーザに煩雑な操作を一切強いることなく、操作を行なうユーザの位置している方向を簡単且つ確実に判断することが可能となる。
【００３４】
加えて、ユーザの操作方向を判断するために表示部１１及びタッチパネル１２の左右両側に配置するセンサは、上述した如く赤外線センサや超音波センサ、あるいはイメージセンサ等で構成されるものとし、且つ近接するユーザの手の有無のみを検出するだけでそれほどの検出精度を必要とするものではないので、比較的安価なセンサで装置を実現することができ、製造コストの低減にも寄与することができる。
【００３５】
なお、前記図２で説明した第１の動作例では、先にタッチパネル１２でタッチ操作の有無を判断し、タッチ操作があったと判断するとその時点での左側センサ１６及び右側センサ１７の検出結果を取得して左右いずれの方向からの操作であるのかを判断するものとした。
【００３６】
すなわち、タッチパネル１２でタッチ操作がなされた後も一定の時間、例えば０．数［秒］程度が経過するまで、タッチ操作を行なったユーザの手指はまだ左側センサ１６または右側センサ１７でその存在が検出できる範囲にあるであろうことを勘案した処理順序をとるものとした。
【００３７】
これにより、制御部１５はタッチパネル１２でのタッチ操作が検出されるまでは左側センサ１６及び右側センサ１７での検出内容について考慮する必要がなく、その分だけ制御処理行程を簡略化することができるため、制御部１５での負担を軽減できる。
【００３８】
しかしながら、反対に左側センサ１６及び右側センサ１７での検出動作を常時行なうような処理行程をとるものとしてもよい。
【００３９】
以下、そのような本実施の形態の第２の動作例についても説明する。
【００４０】
図３は、前記表示部１１で画面の左右の視線方向に応じて２つの映像を同時に表示する２映像同時表示を行なっている状態で、制御部１５が内部に記憶される動作プログラムに基づいて実行する、タッチパネル１２へのタッチ操作に関する処理内容を第２の動作例として示すものである。
【００４１】
同図で、その当初には、左側センサ１６及び右側センサ１７からの検出結果をセンサ制御部１８により取得した後に（ステップＳ５１）、その内容によって左側センサ１６または右側センサ１７からの検出結果が「有」となっているか否かを判断する（ステップＳ５２）、という処理を繰返し実行することで、表示部１１及びタッチパネル１２に対してユーザの手等が接近するのを待機する。
【００４２】
しかして、左側センサ１６または右側センサ１７にユーザの手等が近接した場合、前記ステップＳ５２でこれを判断し、次にユーザによるタッチパネル１２でのタッチ操作があったか否かをタッチ入力制御部１４からの座標データ入力の有無により判断する（ステップＳ５３）。
【００４３】
ここで、左側センサ１６または右側センサ１７に何らかの接近があったものの、タッチパネル１２でのタッチ操作がない場合には、ステップＳ５３でこれを判断して再び前記ステップＳ５１からの処理に戻る。
【００４４】
また、左側センサ１６または右側センサ１７に何らかの接近があり、且つその後にタッチパネル１２でのタッチ操作があった場合には、ステップＳ５３でこれを判断し、次に直前のステップＳ５１でタッチ入力制御部１４から取得した内容により、まず右側センサ１７の検出結果が「有」となっているか否かにより、タッチ操作を行なった右側からユーザが手指を伸ばしてきたものであるか否かを判断する（ステップＳ５４）。
【００４５】
ここで右側からのタッチ操作であると判断した場合には、次いで表示部１１の右側に位置しているユーザ用に表示している映像の画面内容と、前記タッチ操作があった座標データとによって、タッチ操作によりユーザに指示された画面中のボタン等の内容を特定し、特定した内容に対応した制御動作を実行した上で（ステップＳ５５）、次のタッチ操作に備えるべく再び前記ステップＳ５１からの処理に戻る。
【００４６】
また、前記ステップＳ５４で右側からのタッチ操作ではないと判断した場合には、左側からタッチ操作であることとなるので、表示部１１の左側に位置しているユーザ用に表示している映像の画面内容と、前記タッチ操作があった座標データとによって、タッチ操作によりユーザに指示された画面中のボタン等の内容を特定し、特定した内容に対応した制御動作を実行した上で（ステップＳ５６）、次のタッチ操作に備えるべく再び前記ステップＳ５１からの処理に戻る。
【００４７】
このように、左側センサ１６または右側センサ１７を用いたタッチパネル１２及びタッチパネル１２へのユーザの手等の接近を常時モニタリングしており、その検出があったと判断すると次いでタッチパネル１２でのタッチ操作を待ち受けるものとした。
【００４８】
これにより、左側センサ１６または右側センサ１７での検出はあるものの、タッチパネル１２へのタッチ操作はないような状態、例えばユーザがタッチパネル１２及び表示制御部１３の近傍で手などを動かしただけの場合などにもその都度これに対応してタッチパネル１２でのタッチ操作があるか否かを判断することになり、制御部１５としてはある程度無駄な制御処理を行なうこととなる。
【００４９】
しかしながら、その反面、一旦タッチパネル１２でのタッチ操作があると前記ステップＳ５３で判断した場合、すでにその直前のステップＳ５１での処理により左側センサ１６または右側センサ１７での検出結果を取得しているため、ユーザの操作が左側と右側のどちら側からなされたものであるのかを即時判断することができる。
【００５０】
従って、制御部１５はより迅速にタッチパネル１２でのタッチ操作に対応した制御動作に移行できることとなり、ユーザのタッチ操作に対する応答性を高めて、カーナビゲーション装置１０の使い勝手自体を向上させることができる。
【００５１】
なお、前記実施の形態は本発明を乗用車用のカーナビゲーション装置に適用した場合について説明したものであるが、本発明はこれに限ることなく、例えば「お客様側にはプレゼンテーション用の映像を表示しながら、販売員側には内部資料を表示するような、双方共にタッチ操作による制御を行なうディスプレイ」などといった装置にも応用することが考えられる。
【００５２】
その他、本発明は前記実施の形態に限らず、その要旨を逸脱しない範囲内で種々変形して実施することが可能であるものとする。
【００５３】
さらに、前記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００５４】
【図１】本発明の実施の一形態に係るカーナビゲーション装置の機能回路構成を示すブロック図。
【図２】同実施の形態に係る第１の動作例の処理内容を示すフローチャート。
【図３】同実施の形態に係る第２の動作例の処理内容を示すフローチャート。
【符号の説明】
【００５５】
１０…カーナビゲーション装置、１１…表示部、１２…タッチパネル、１３…表示制御部、１４…タッチ入力制御部、１５…制御部、１６…左側センサ、１７…右側センサ、１８…センサ制御部、１９…ＧＰＳレシーバ、２０…ハードディスク装置（ＨＤＤ）、２１マルチディスクドライブ、２２…テレビチューナ、２３…キー入力部、２４…音声処理部、２５…ＧＰＳアンテナ、２６…テレビアンテナ、２７…スピーカ、２８…マイクロホン。
【図１】
2007172373.tif 000003
【図２】
2007172373.tif 000004
【図３】
2007172373.tif 000005